(57)【特許請求の範囲】
【請求項１】
上面中央より上方付勢状態で上下動可能にステム６を突出させてなるエアゾール容器体２と、該容器体上部に嵌着固定させた櫛形吐出具４とからなり、該櫛形吐出具４は、容器体に固定した周壁１５上端縁より延設した頂壁１６前端部に下端を開口して上方へ注出筒１７を立設するとともに、該注出筒前面に櫛歯１８を突設し、且つ、櫛歯基端部の注出筒に吐出孔１９を穿設してなる吐出具本体１３と、上記ステム６上端に連結筒２０下端を嵌着させるとともに、前方へ変移させた連結筒上端を上記注出筒１７内下端部に液密且つ上下動可能に嵌合させ、且つ、注出筒後方の頂壁１６を貫通して押し下げ可能に突出した押し釦２１を一体に設けてなる連結筒部材１４とを備えてなることを特徴とする櫛形吐出具を備えたエアゾール容器。
【請求項２】
上記連結筒２０の上端部を小径に形成するとともに、小径部分外周より突設したスカート状の環状ピストン２３外周縁を上記注出筒内に液密且つ摺動可能に嵌合させてなる請求項１記載のエアゾール容器。
【発明の詳細な説明】
【０００１】
【発明の属する技術分野】
本発明は櫛形吐出具を備えたエアゾール容器に関する。
【０００２】
【従来の技術】
エアゾール容器として、上端に上方付勢状態で上下動可能にステムを突設し、該ステムを押し下げることにより、内部の吐出弁が開弁して、収納液を吐出する如く構成したエアゾール容器体と、該ステムに嵌着固定させるとともに、前方注出孔に至る通液路を内部に設けてなる筒状ヘッドとからなるものが極一般的に知られている。
【０００３】
これらは、ヘッドを押し下げることによりステムが押し下げられ、その際容器体内部に設けた押し下げ開弁式の吐出弁が開いて、収納ガス圧により液がステム上端より通液路を介してヘッドの注出孔より吐出される如く構成している。
【０００４】
また、最近では、この様な容器の応用として、上記ヘッドに代えて櫛形吐出具を備えたものも提案されている。これらの容器として、例えば、容器体に固定させた取り付け筒と、該筒に周壁下端を固定させて装着するとともに、周壁上端より延設した頂壁中央に下端を開口し、内部に通液路を形成した注出筒を立設し、更に、注出筒前面より櫛歯を突設するとともに、櫛歯基端部の注出筒に吐出孔を開口させた吐出具本体と、上記取り付け筒にヒンジを介して上下揺動可能に設けた揺動板の中央を貫通して一体に設けるとともに、下端を上記ステムに嵌着し、上端を注出筒内下部に液密且つ摺動可能に嵌合させた連結筒と、揺動板後部より立設するとともに、上端を上記吐出具本体頂壁を貫通して押し込み可能に突出させた押し釦を備えてなるものがある。
【０００５】
そして、押し釦を押し込むことにより、ヒンジを中心に回動下降する揺動板によりステムを押し下げ、容器体内の液を連結筒を介して通液路から吐出孔を介して吐出する如く構成している。
【０００６】
【発明が解決しようとする課題】
上記従来の容器では、操作性が悪く、内容物の円滑な注出を行い難いという問題がある。即ち、押し釦を押し込むと揺動板はヒンジを支点として押し下げられるが、この場合、取り付け筒と吐出具本体とはそれぞれ容器本体に固定されて動かず、一方連結筒は揺動板と一体に形成しているため、揺動板の下方回動の際に連結筒は後方へ回動する如く力が働く（実際は通液路の内壁面により前方へ押圧されて後方への回動はない）。従って、連結筒先端部外周に嵌着させた０−リングには、それが下方へ下降する際に後方へ局部的に大きな力が働き、０−リングの摺動性が悪くなり、従って容器の操作性が悪くなり、また、液密性にも問題が生じる。
【０００７】
本発明の目的の一つは、操作性に優れ、内容物を円滑に注出することが出来るとともに、連結部の良好な液密性を維持することが出来る優れた容器を提案するものである。
【０００８】
また、従来は注出筒内を上下動する連結筒先端部の液密性を維持するため、上記した如く、連結筒上端外周に０−リングを嵌着固定させていたが、この０−リングの組み付けは機械的に行い難く、従来は手作業で行っていた。そこで、本発明の目的の一つは、組み付け作業を容易にし、その結果安価に製造できる容器を提案するものである。
【０００９】
また、従来のこの種容器は、収納液を使い切った後は、櫛形吐出具を容器体に装着固定したまま容器を廃棄しているが、櫛形吐出具を一々廃棄するのは不経済である。
【００１０】
そこで本発明の目的の一つは、上記各目的に加えて、収納液使用後は、液を収納した容器体と櫛形吐出具装着の際の補助的役割を果たす取り付け筒部材とを廃棄して、櫛形吐出具は何回も利用出来る如く構成し、しかもその着脱が極めて容易に行えて且つ機能低下を来すことのない優れた容器を提案するものである。
【００１１】
また、従来のこの種容器は、注出筒が中央に起立しているため、そこから突出する櫛歯の大部分が容器体上方に位置し、容器体が邪魔して櫛歯が使い難いという欠点がある。
【００１２】
本発明の目的の一つは、櫛歯を前方に位置させて使い易くし、しかも機能低下を来すことのない優れた容器を提案するものである。
【００１３】
【課題を解決するための手段】
本請求項１発明容器は上記課題を解決するため、上面中央より上方付勢状態で上下動可能にステム６を突出させてなるエアゾール容器体２と、該容器体上部に嵌着固定させた櫛形吐出具４とからなり、該櫛形吐出具４は、容器体に固定した周壁１５上端縁より延設した頂壁１６前端部に下端を開口して上方へ注出筒１７を立設するとともに、該注出筒前面に櫛歯１８を突設し、且つ、櫛歯基端部の注出筒に吐出孔１９を穿設してなる吐出具本体１３と、上記ステム６上端に連結筒２０下端を嵌着させるとともに、前方へ変移させた連結筒上端を上記注出筒１７内下端部に液密且つ上下動可能に嵌合させ、且つ、注出筒後方の頂壁１６を貫通して押し下げ可能に突出した押し釦２１を一体に設けてなる連結筒部材１４とを備えてなることを特徴とする櫛形吐出具を備えたエアゾール容器として構成した。
【００１４】
また、請求項２発明容器は、上記連結筒２０の上端部を小径に形成するとともに、小径部分外周より突設したスカート状の環状ピストン２３外周縁を上記注出筒内に液密且つ摺動可能に嵌合させてなる請求項１記載のエアゾール容器として構成した。
【００１５】
【発明の実施の形態】
以下、本発明の実施例の形態を図面を参照して説明する。
図１に示す如く、本発明容器１は、エアゾール容器体２と、取り付け筒部材３と、櫛形吐出具４とを備えている。
【００１６】
エアゾール容器体２は、筒状の胴部５上端中央に上方付勢状態で押し込み可能にステム６を突設させ、該ステムを押し下げることにより内蔵吐出弁が開き、ガス圧で収納液をステム上端より吐出する如く構成した公知の吐出機構を有するものである。
【００１７】
取り付け筒部材３は櫛形吐出具４を容器体に装着させるための取り付け筒７を備えたもので、容器体上端に嵌着して固定する。例えば、図１に示す如く、容器体胴部５上面周縁部に突設した円形突条８の両側に嵌合させた一対の内外嵌合筒９，１０をドーナツ板状の頂板１１内側縁部より垂設するとともに、頂板１１外側縁からは周壁１２を垂設し、更に、頂板１１上面周縁部から上方へ取り付け筒７を一体に起立させて構成する。
【００１８】
櫛形吐出具４は、吐出具本体１３と、連結筒部材１４とを備えている。
吐出具本体１３は、上記取り付け筒７外周に周壁１５下部を嵌合させて装着させるとともに、周壁１５上端縁より延設した頂壁１６前端部に下端を開口して上方へ注出筒１７を立設し、また、注出筒１７前面に櫛歯１８を突設してその基端部の注出筒に吐出孔１９を穿設している。吐出孔１９は上下方向に所定間隔をあけて複数穿設している。上記取り付け筒７への周壁１５の嵌合は図１の如き螺合であっても或いは、突条相互の乗り越え係合、所謂スナップフィット方式であってもよい。
【００１９】
連結筒部材１４は、上記ステム６上端に下端を嵌着するとともに、前方へ変移させた上端を上記注出筒１７内下端部に液密且つ上下動可能に嵌合した連結筒２０を有し、且つ、注出筒後方の頂壁１６を貫通して押し下げ可能に突出した押し釦２１を一体に設けている。
【００２０】
図１の容器では、ステム６上端外周に下端内面を液密嵌着させた下部筒部２０ａ  を頂板２２裏面中央より垂設するとともに、上記注出筒１７内下端部に上端部を液密且つ上下動可能に嵌合させた上部筒部２０ｂ  を頂板２２前端部上面より立設している。上部筒部２０ｂ  下端と下部筒部２０ａ  上端とは横筒部２０ｃ  により連通させ、その結果、全体として、上端部が下端部より前方へ変移した連結筒２０を構成している。また、上部筒部２０ｂ  上端は小径に形成し、その外面より上向きスカート状の環状ピストン２３を一体に突設し、その外周縁を注出筒１７内に液密且つ上下動可能に嵌合させている。また、頂板２２の後部上面から突設した押し釦２１を、吐出具本体１３に穿設した窓孔２４を介して上方へ押し下げ可能に突出させている。
【００２１】
また、図１の容器では連結筒部材１４を図４に示す如く上部材１４Ａ  と下部材１４Ｂ  の二部材で構成している。
【００２２】
上部材１４Ａ  は、周壁２５上端縁より上記頂板２２上部を構成する頂壁２２ａ  を延設し、頂壁２２ａ  前端部に下端を開口した環状ピストン２３付きの上部筒部２０ｂ  を立設し、該筒部２０ｂ  後方の頂壁２２ａ  を隆起させて形成した押し釦２１を一体に設けている。
【００２３】
下部材１４Ｂ  は、上部材周壁２５内周に液密且つ抜け出し不能に嵌合する周壁２７上端縁より、上記頂壁２２ａ  裏面に上面を密接して頂板２２下部を構成する底板２２ｂ  を延設し、また、底板２２ｂ  中央に上面を開口した下部筒部２０ａ  を下方へ垂設し、更に、底板２２ｂ  に下部筒部２０ａ  上端から上部筒部２０ｂ  下端位置に至る溝２９を形成して、両者を嵌着させた際に、上部材頂壁２２ａ  とで下部筒部２０ａ  から上部筒部２０ｂ  に至る横筒部２０ｃ  を形成する如く構成している。また、下部筒部後方の底板２２ｂ  を隆起させて上記押し釦２１後部の内面形状にあった支持部３０に構成している。
【００２４】
上記の如く構成した容器１は、その押し釦２１を押し下げることにより、連結筒部材１４全体が下降し、その結果ステム６を押し下げて容器体内の吐出弁を開弁させ、ガス圧で容器体内の液が連結筒２０を通り、注出筒１７から吐出孔１９を介して外部へ吐出される。
【００２５】
また、押し釦２１の押圧を解除すると、ステム６の上方付勢力により容器体内の吐出弁が閉弁して液の注出が停止するとともに、連結筒部材１４が上方へ押し上げられて元の状態に戻る。
尚、上記各実施例に於いて、各部材は主として合成樹脂により形成するとともに、必要に応じてエラストマー，金属等を用いて形成する。
【００２６】
【発明の効果】
以上説明した如く本発明容器は、既述構成としたことにより、注出筒内に液密且つ上下動可能に上端を嵌合させた連結筒が、押し釦の押し下げにより横方向の力を受けずに上下方向のみ移動するため、注出筒内面との摺動部分に均一な力が働き摺動不良を起こす等の虞がなく、また、この部分からの液漏れの虞もない。また、連結筒上端に一体に突設した環状ピストンを注出筒内面に摺動可能に嵌合させたので、従来の０−リングを使用したものと比較して組み付け作業が容易で、安価に製造できる利点もある。
【００２７】
また、注出筒は前端部に立設しているため櫛歯使用時に容器体が邪魔とならず、しかも注出筒の位置を変えても上記した如く注出筒部材は良好な作動を行えるものである。
【図面の簡単な説明】
【図１】本発明の一実施例を示す要部縦断面図である。
【図２】同実施例の吐出具本体の縦断面図である。
【図３】同実施例の吐出具本体の底面図である。
【図４】同実施例の連結筒部材の分解状態の縦断面図である。
【符号の説明】
２…エアゾール容器体，４…櫛形吐出具，６…ステム，１３…吐出具本体，
１４…連結筒部材，１５…周壁，１６…頂壁，１７…注出筒，１８…櫛歯，
１９…吐出孔，２０…連結筒，２１…押し釦，２３…環状ピストン
【図１】
0003634018.tif 000002
【図２】
0003634018.tif 000003
【図３】
0003634018.tif 000004
【図４】
0003634018.tif 000005